(57)【要約】【課題】本発明は制御チャネルエレメントの分配方法及び装置を開示した。【解決手段】この方法は、ネットワーク側がチャネル品質指示ＣＱＩと物理ダウンリンク制御チャネルＰＤＣＣＨビットレートとのマッピング関係によって制御チャネルエレメントＣＣＥアグリゲーションレベルを決定することと、ネットワーク側がＣＣＥアグリゲーションレベルによってＣＣＥリソースを分配することとを含む。この方法によって、ＣＣＥリソースの利用率の向上の効果を達成した。【選択図】図１
2013511172.tif 000002
【特許請求の範囲】
【請求項１】
ネットワーク側が、チャネル品質指示ＣＱＩと物理ダウンリンク制御チャネルＰＤＣＣＨビットレートとのマッピング関係によって制御チャネルエレメントＣＣＥアグリゲーションレベルを決定することと、
前記ネットワーク側が、前記ＣＣＥアグリゲーションレベルによってＣＣＥリソースを分配することと、
を含むことを特徴とする制御チャネルエレメントＣＣＥの分配方法。
【請求項２】
前記ネットワーク側が、前記マッピング関係によって前記ＣＣＥアグリゲーションレベルを決定することは、
前記ネットワーク側が、前記マッピング関係及びセルにおけるすべてのアクティブにしたユーザー設備の現在の伝送時間間隔ＴＴＩ時刻の最小広帯域ＣＱＩによって公共ダウンリンクチャネル情報ＤＣＩのために対応する第１のＰＤＣＣＨビットレートを選択することと、
前記ネットワーク側が、対応する前記第１のＰＤＣＣＨビットレートによって前記公共ＤＣＩのために現在のＴＴＩ時刻のＣＣＥアグリゲーションレベル集合{４、８}から前記第１のＰＤＣＣＨビットレートに対応する第１のＣＣＥアグリゲーションレベルを選択することと、
を含むことを特徴とする請求項１に記載の方法。
【請求項３】
前記ネットワーク側が、前記ＣＣＥアグリゲーションレベルによってＣＣＥリソースを分配することは、
前記ネットワーク側が、現在のＴＴＩ時刻の公共ＤＣＩスケジューリング行列から１つの公共ＤＣＩを取り出すことと、
前記ネットワーク側が、前記取り出された１つの公共ＤＣＩに対応する第１のＣＣＥアグリゲーションレベルを用いてＣＣＥリソースを分配することと、
を含むことを特徴とする請求項２に記載の方法。
【請求項４】
前記ネットワーク側が、前記マッピング関係によって前記ＣＣＥアグリゲーションレベルを決定することは、
前記ネットワーク側が、前記マッピング関係によって対応するユーザー設備ＵＥのために対応する第２のＰＤＣＣＨビットレートを選択することと、
前記ネットワーク側が、対応する前記第２のＰＤＣＣＨビットレートによって前記ＵＥの現在ＴＴＩ時刻分配待ちＣＣＥリソースのＤＣＩのために前記第２のＰＤＣＣＨビットレートに対応する必要な第２のＣＣＥアグリゲーションレベルを選択することと、
前記ネットワーク側が、ＣＣＥアグリゲーションレベル集合{１、２、４、８}から前記第２のＣＣＥアグリゲーションレベル以上の値を選択して前記ＵＥに対応するＣＣＥアグリゲーションレベル集合とすることと、
を含むことを特徴とする請求項１に記載の方法。
【請求項５】
前記ネットワーク側が、前記ＣＣＥアグリゲーションレベルによってＣＣＥリソースを分配することは、
前記ネットワーク側が、現在のＴＴＩ時刻のＵＥスケジューリング行列から１つのＵＥのＤＣＩを取り出すことと、
前記ネットワーク側が、前記取り出された１つのＵＥのＤＣＩに対応するＣＣＥアグリゲーションレベル集合から１つのＣＣＥアグリゲーションレベルを選択し、前記取り出された１つのＵＥのＤＣＩにＣＣＥリソースの分配を行うことと、
を含むことを特徴とする請求項４に記載の方法。
【請求項６】
チャネル品質指示ＣＱＩと物理ダウンリンク制御チャネルＰＤＣＣＨビットレートとのマッピング関係によって制御チャネルエレメントＣＣＥアグリゲーションレベルを決定するための決定モジュールと、
前記ＣＣＥアグリゲーションレベルによってＣＣＥリソースを分配するための分配モジュールと、
を含むことを特徴とするネットワーク側に位置する制御チャネルエレメントＣＣＥの分配装置。
【請求項７】
前記決定モジュールは、
前記マッピング関係及びセルにおけるすべてのアクティブにしたユーザー設備の現在の伝送時間間隔ＴＴＩ時刻の最小広帯域ＣＱＩによって公共ダウンリンクチャネル情報ＤＣＩのために対応する第１のＰＤＣＣＨビットレートを選択するための第１の選択サブモジュールと、
対応する前記第１のＰＤＣＣＨビットレートによって前記公共ＤＣＩのために現在ＴＴＩ時刻のＣＣＥアグリゲーションレベル集合{４、８}から前記第１のＰＤＣＣＨビットレートに対応する第１のＣＣＥアグリゲーションレベルを選択するための第２の選択サブモジュールと、
を含むことを特徴とする請求項６に記載の装置。
【請求項８】
前記分配モジュールは、
現在のＴＴＩ時刻の公共ＤＣＩスケジューリング行列から１つの公共ＤＣＩを取り出すための第１の取り出サブモジュールと、
前記取り出された１つの公共ＤＣＩに対応する第１のＣＣＥアグリゲーションレベルを用いてＣＣＥリソースを分配するための第１の分配サブモジュールと、
を含むことを特徴とする請求項７に記載の装置。
【請求項９】
前記決定モジュールは、
前記マッピング関係によって対応するユーザー設備ＵＥのために対応する第２のＰＤＣＣＨビットレートを選択するための第３の選択サブモジュールと、
対応する前記第２のＰＤＣＣＨビットレートによって前記ＵＥの現在のＴＴＩ時刻分配待ちＣＣＥリソースのＤＣＩのために前記第２のＰＤＣＣＨビットレートに対応する必要な第２のＣＣＥアグリゲーションレベルを選択するための第４の選択サブモジュールと、
ＣＣＥアグリゲーションレベル集合{１、２、４、８}から前記第２のＣＣＥアグリゲーションレベル以上の値を選択して前記ＵＥに対応するＣＣＥアグリゲーションレベル集合とするための第５の選択サブモジュールと、
を含むことを特徴とする請求項６に記載の装置。
【請求項１０】
前記分配モジュールは、
現在のＴＴＩ時刻のＵＥスケジューリング行列から１つのＵＥのＤＣＩを取り出すための第２の取り出しサブモジュールと、
前記取り出された１つのＵＥのＤＣＩに対応するＣＣＥアグリゲーションレベル集合から１つのＣＣＥアグリゲーションレベルを選択し、前記取り出された１つのＵＥのＤＣＩにＣＣＥリソースを分配するための第２の分配サブモジュールと、
を含むことを特徴とする請求項９に記載の装置。
【発明の詳細な説明】
【技術分野】
【０００１】
本発明は通信分野に関し、具体的には、制御チャネル要素の分配方法及び装置に関する。
【背景技術】
【０００２】
ロングタームエボリューション（Ｌｏｎｇ−Ｔｅｒｍ  Ｅｖｏｌｕｔｉｏｎ，ＬＴＥと略称）はロングタームエボリューション技術である。物理ダウンリンク制御チャネル（Ｈｉｇｈ  Ｓｐｅｅｄ  Ｐｈｙｓｉｃａｌ  Ｄｏｗｎｌｉｎｋ  Ｃｏｎｔｒｏｌ  Ｃｈａｎｎｅｌ，ＰＤＣＣＨと略称）は制御チャネルエレメント（Ｃｏｎｔｒｏｌ  Ｃｈａｎｎｅｌ  Ｅｌｅｍｅｎｔ，ＣＣＥと略称）から構成され、ダウンリンク制御情報（Ｄｏｗｎｌｉｎｋ  Ｃｏｎｔｒｏｌ  Ｉｎｆｏｒｍａｔｉｏｎ，ＤＣＩと略称）を運ぶことに用いられる。ＣＣＥは公共空間ＣＣＥ（以下、公共ＣＣＥと略称）と専用空間ＣＣＥ（以下、専用ＣＣＥと略称）に分けられ、ここで、公共ＣＣＥが０番目〜１５番目、共に１６つのＣＣＥであり、他のＣＣＥが専用ＣＣＥである。文献第３世代パートナーシッププロジェクト（３ｒｄ  Ｇｅｎｅｒａｔｉｏｎ  Ｐａｒｔｎｅｒｓｈｉｐ  Ｐｒｏjｅｃｔ，３ＧＰＰと略称）ＴＳ３６．２１３．８．７．０に以下の規定がある。公共ＣＣＥを必要とするＤＣＩでは、用いるＣＣＥアグリゲーションレベルＬ（Ａｇｇｒｅｇａｔｉｏｎ  ｌｅｖｅｌ  
2013511172.tif 000003
）が４或いは８しかでない。ここで、ＣＣＥアグリゲーションレベルＬが４である場合、ＣＣＥの開始位置がそれぞれ０番目、４番目、８番目又は１２番目のＣＣＥであり、ＣＣＥアグリゲーションレベルＬが８である場合、ＣＣＥの開始位置がそれぞれ０番目或いは８番目のＣＣＥである。専用ＣＣＥを必要とするＤＣＩでは、ＤＣＩに占用分配されるＣＣＥがＨａｓｈ関数で決められ、Ｈａｓｈ関数がサブフレーム番号、ＣＣＥ総数、ＣＣＥアグリゲーションレベルＬ、ＰＤＣＣＨ候補数
2013511172.tif 000004
（Ｎｕｍｂｅｒ  ｏｆ  ＰＤＣＣＨ  ｃａｎｄｉｄａｔｅｓ
2013511172.tif 000005
）及びユーザー設備（Ｕｓｅｒ  Ｅｑｕｉｐｍｅｎｔ，ＵＥと略称）の無線ネットワーク仮識別子（Ｒａｄｉｏ  Ｎｅｔｗｏｒｋ  Ｔｅｍｐｏｒａｒｙ  Ｉｄｅｎｔｉｔｙ，ＲＮＴＩと略称）にかかわる。文献３ＧＰＰ  ＴＳ３６．２１２．８．７．０によれば、ＤＣＩがＤＣＩフォーム０とフォーム１とフォーム１Ａとフォーム１Ｂとフォーム１Ｃとフォーム１Ｄとフォーム２とフォーム２Ａとフォーム３とびフォーム３Ａを含む。ここで、ＤＣＩフォーム０（以下、ＤＣＩ０と略称）がＵＥアップリンク授権に用いられ、ＤＣＩフォーム１とフォーム１Ａとフォーム１Ｂとフォーム１Ｃとフォーム１Ｄとフォーム２とフォーム２Ａ（以下、ＤＣＩｘと総称）がＵＥダウンリンク分配に用いられる。
【０００３】
ＤＣＩフォーム１とフォーム１Ｂとフォーム１Ｄとフォーム２とフォーム２Ａには、専用ＣＣＥリソースのみを分配でき、ＤＣＩフォーム１Ｃとフォーム３とフォーム３Ａには、公共ＣＣＥリソースのみを分配でき、ＤＣＩフォーム０とフォーム１Ａには、公共ＣＣＥリソース或いは専用ＣＣＥリソースを分配できる。ＤＣＩフォーム１Ｃとフォーム３とフォーム３Ａが公共ＤＣＩと総称され、公共ＤＣＩがセルにおけるすべてのＵＥに対する。シングルのＵＥに対するＤＣＩ(ＤＣＩフォーム０とＤＣＩフォーム１とフォーム１Ａとフォーム１Ｂとフォーム１Ｄとフォーム２とフォーム２Ａを含む)がＵＥのＤＣＩ(或いは専用ＤＣＩ)と総称される。
【０００４】
メディアアクセス制御（Ｍｅｄｉａ  Ａｃｃｅｓｓ  Ｃｏｎｔｒｏｌ，ＭＡＣと略称）層は、ある方式によってＣＣＥリソースを分配する。
【０００５】
現在、ＣＣＥリソースの分配に関する技術は、ＵＥにより報告される広帯域チャネル品質指示（Ｃｈａｎｎｅｌ  Ｑｕａｌｉｔｙ  Ｉｄｅｎｔｉｔｙ，ＣＱＩと略称）及び参照信号受信パワー（Ｒｅｆｅｒｅｎｃｅ  Ｓｉｇｎａｌ  Ｒｅｃｅｉｖｉｎｇ  Ｐｏｗｅｒ，ＲＳＲＰと略称）情報を用いて公共ＤＣＩとＵＥのＤＣＩが用いるＣＣＥアグリゲーションレベルＬを判断すること、或いは、スケジューリング待ちのＤＣＩｘとＤＣＩ０の数及びＣＣＥリソースによってＵＥが用いるＣＣＥアグリゲーションレベルＬを決定することを含む。これら技術には以下のような欠陥がある。公共ＣＣＥの分配に対して、どのように公共ＣＣＥのうちにアイドルＣＣＥリソースを分配するかを明確しない。専用ＣＣＥの分配に対して、どのようにＰＤＣＣＨ候補数
2013511172.tif 000006
のうちにアイドルＣＣＥリソースを分配するかを明確しない。また、同一なＤＣＩフォームに対して、セルダウンリンク帯域幅によって、含まれているビット数が違い、セルダウンリンク帯域幅が小さいほど、同一なＤＣＩフォームに含むビット数が小さくなり、逆に、同様である。
【発明の概要】
【発明が解決しようとする課題】
【０００６】
関連技術において、同一なＤＣＩが異なるセル帯域幅で同一なＣＣＥアグリゲーションレベルＬを用いることによりシステム性能に影響する問題及びどのようにアイドルＣＣＥリソースを分配するかを明確しない問題について、本発明を提出し、このため、本発明は、主に、ＣＣＥの分配スキームを提供することで、上述問題の少なくとも１つを解決することを目的とする。
【課題を解決するための手段】
【０００７】
上述目的を実現するために、本発明の一方によれば、ＣＣＥの分配方法を提供した。
【０００８】
本発明に係るＣＣＥの分配方法は、ネットワーク側がチャネル品質指示ＣＱＩと物理ダウンリンク制御チャネルＰＤＣＣＨビットレートとのマッピング関係によって制御チャネル要素ＣＣＥアグリゲーションレベルを決定することと、ネットワーク側がＣＣＥアグリゲーションレベルによってＣＣＥリソースを分配することとを含む。
【０００９】
ネットワーク側がマッピング関係によってＣＣＥアグリゲーションレベルを決定することは、ネットワーク側がマッピング関係及びセルにおけるすべてのアクティブにしたユーザー設備の現在の伝送時間間隔ＴＴＩ時刻の最小広帯域ＣＱＩによって公共ダウンリンクチャネル情報ＤＣＩのために対応する第１のＰＤＣＣＨビットレートを選択することと、ネットワーク側が対応の第１ＰＤＣＣＨビットレートによって公共ＤＣＩに現在ＴＴＩ時刻のＣＣＥアグリゲーションレベル集合{４、８}から対応の第１ＣＣＥアグリゲーションレベルを選択し、第１のＣＣＥアグリゲーションレベルが第１のＰＤＣＣＨビットレートに対応することとを含むことが好ましい。
【００１０】
ネットワーク側がＣＣＥアグリゲーションレベルによってＣＣＥリソースを分配することは、ネットワーク側が現在のＴＴＩ時刻の公共ＤＣＩスケジューリング行列から１つの公共ＤＣＩを取り出すことと、ネットワーク側が取り出された１つの公共ＤＣＩに対応する第１のＣＣＥアグリゲーションレベルを用いてＣＣＥリソースを分配することとを含むことが好ましい。
【００１１】
ネットワーク側がマッピング関係によってＣＣＥアグリゲーションレベルを決定することは、ネットワーク側がマッピング関係によって対応するユーザー設備ＵＥのために対応する第２のＰＤＣＣＨビットレートを選択することと、ネットワーク側が対応する第２のＰＤＣＣＨビットレートによってＵＥの現在ＴＴＩ時刻分配待ちＣＣＥリソースのＤＣＩのために第２のＰＤＣＣＨビットレートに対応する必要な第２のＣＣＥアグリゲーションレベルを選択することと、ネットワーク側がＣＣＥアグリゲーションレベル集合{１、２、４、８}から第２のＣＣＥアグリゲーションレベル以上の値を選択してＵＥに対応するＣＣＥアグリゲーションレベル集合とすることとを含むことが好ましい。
【００１２】
ネットワーク側がＣＣＥアグリゲーションレベルによってＣＣＥリソースを分配することは、ネットワーク側が現在のＴＴＩ時刻のＵＥスケジューリング行列から１つのＵＥのＤＣＩを取り出すことと、ネットワーク側が取り出された１つのＵＥのＤＣＩに対応するＣＣＥアグリゲーションレベル集合から１つのＣＣＥアグリゲーションレベルを選択し、取り出された１つのＵＥのＤＣＩにＣＣＥリソースを分配することとを含むことが好ましい。
【００１３】
上述目的を実現するために、本発明の他方によれば、ＣＣＥの分配装置を提供した。
【００１４】
本発明によるＣＣＥの分配装置は、ネットワーク側に位置し、チャネル品質指示ＣＱＩと物理ダウンリンク制御チャネルＰＤＣＣＨビットレートとのマッピング関係によって制御チャネル要素ＣＣＥアグリゲーションレベルを決定するための決定モジュールと、ＣＣＥアグリゲーションレベルによってＣＣＥリソースを分配するための分配モジュールとを含む。
【００１５】
決定モジュールは、マッピング関係及びセルにおけるすべてのアクティブにしたユーザー設備の現在の伝送時間間隔ＴＴＩ時刻の最小広帯域ＣＱＩによって公共ダウンリンクチャネル情報ＤＣＩのために対応する第１のＰＤＣＣＨビットレートを選択するための第１の選択サブモジュールと、対応する第１のＰＤＣＣＨビットレートによって公共ＤＣＩのために現在のＴＴＩ時刻のＣＣＥアグリゲーションレベル集合{４、８}から第１のＰＤＣＣＨビットレートに対応する第１のＣＣＥアグリゲーションレベルを選択するための第２の選択サブモジュールとを含むことが好ましい。
【００１６】
分配モジュールは、現在のＴＴＩ時刻の公共ＤＣＩスケジューリング行列から１つの公共ＤＣＩを取り出するための第１の取り出しサブモジュールと、取り出された１つの公共ＤＣＩに対応する第１のＣＣＥアグリゲーションレベルを用いてＣＣＥリソースを分配するための第１の分配サブモジュールとを含むことが好ましい。
【００１７】
決定モジュールは、マッピング関係によって対応するユーザー設備ＵＥのために対応する第２のＰＤＣＣＨビットレートを選択するための第３の選択サブモジュールと、対応する第２のＰＤＣＣＨビットレートによってＵＥの現在のＴＴＩ時刻分配待ちＣＣＥリソースのＤＣＩのために第２のＰＤＣＣＨビットレートに対応する必要な第２のＣＣＥアグリゲーションレベルを選択するための第４の選択サブモジュールと、ＣＣＥアグリゲーションレベル集合{１、２、４、８}から第２のＣＣＥアグリゲーションレベル以上の値を選択してＵＥに対応するＣＣＥアグリゲーションレベル集合とするための第５の選択サブモジュールとを含むことが好ましい。
【００１８】
分配モジュールは、現在のＴＴＩ時刻のＵＥスケジューリング行列から１つのＵＥのＤＣＩを取り出すための第２の取り出しサブモジュールと、取り出された１つのＵＥのＤＣＩに対応するＣＣＥアグリゲーションレベル集合から１つのＣＣＥアグリゲーションレベルを選択し、取り出された１つのＵＥのＤＣＩに対してＣＣＥリソースを分配するための第２の分配サブモジュールとを含むことが好ましい。
【発明の効果】
【００１９】
本発明によれば、異なるセルダウンリンク帯域幅で同一なＤＣＩが異なるＣＣＥアグリゲーションレベルＬを使用する可能性がある方式を採用ことにより、関連技術において異なるセル帯域幅で同一なＤＣＩが同一なＣＣＥアグリゲーションレベルＬを用いることによりシステム性能に影響する問題及びどのようにアイドルＣＣＥリソースを分配するかを明確しない問題を解決し、更にＣＣＥリソース利用率の向上の効果を達成した。
【図面の簡単な説明】
【００２０】
ここで説明する図面は本発明を理解させるためのもので、本発明の一部を構成し、本発明における模式的な実施例とその説明共に本発明を解釈し、本発明を不当に限定するのではない。図面において、
【図１】図１は、本発明の実施例に係るＣＣＥの分配方法のフローチャートである。
【図２】図２は、本発明の実施例に係るネットワーク側が公共ＤＣＩにＣＣＥリソースを分配する方法のフローチャートである。
【図３】図３は、本発明の実施例に係るネットワーク側がＵＥのＤＣＩにＣＣＥリソースを分配する方法のフローチャートである。
【図４】図４は、本発明の実施例に係るＣＱＩとＰＤＣＣＨビットレートとの間のマッピング関係の模式図である。
【図５】図５は、本発明の実施例に係る公共ＤＣＩにＣＣＥリソースを分配する模式図である。
【図６】図６は、本発明の実施例に係るＵＥのＤＣＩにＣＣＥアグリゲーションレベルが８のＣＣＥリソースを分配する模式図である。
【図７】図７は、本発明の実施例に係るＵＥのＤＣＩにＣＣＥアグリゲーションレベルが２と１のＣＣＥリソースを分配する模式図である。
【図８】図８は、本発明の実施例に係るＣＣＥの分配装置の構造ブロック図である。
【図９】図９は、本発明の実施例に係るＣＣＥの分配装置の具体的な構造ブロック図である。
【図１０】図１０は、本発明の実施例に係るＣＣＥの分配装置の他の例の具体的な構造ブロック図である。
【図１１】図１１は、本発明の実施例に係るＣＣＥリソースを分配する装置の構造模式図である。
【発明を実施するための形態】
【００２１】
機能概述
関連技術において同一なＤＣＩが異なるセル帯域幅で同一なＣＣＥアグリゲーションレベルＬを用いることによりシステム性能に影響する問題及びどのようにアイドルＣＣＥリソースを分配するかを明確しない問題を考えて、本発明がＣＣＥの分配スキームを提供し、このスキームは、同一なダウンリンクリンク品質（即ち広帯域ＣＱＩ）の場合、ＵＥ側の受信性能に影響ぜず、異なるセルダウンリンク帯域幅で同一なＤＣＩが異なるＣＣＥアグリゲーションレベルＬを使用する可能性があると考えて（例えば、復号の成功率）、これで同一なＤＣＩが異なるセルダウンリンク帯域幅で同一なＣＣＥアグリゲーションレベルＬを使用する可能性がある問題を解決するとともに、どのようにＰＤＣＣＨ候補領域（即ちＰＤＣＣＨ候補数
2013511172.tif 000007
に対応するＣＣＥリソース）においてアイドルＣＣＥリソースを分配するか問題を解決し、従来のＣＣＥリソースの分配技術に比べて、このスキームが更にＣＣＥリソースの利用率を向上させた。
【００２２】
以下、図面と実施例を参照しながら、本発明を詳しく説明する。なお、対立しない場合に、本発明における実施例及び実施例における特徴を相互に組み合せてもよい。
【００２３】
方法の実施例
本発明の実施例によれば、ＣＣＥの分配方法を提供した。
【００２４】
図１は本発明の実施例に係るＣＣＥの分配方法のフローチャートであり、図１に示すように、この方法は、以下のステップＳ１０２〜ステップＳ１０４を含む。
ステップＳ１０２において、ネットワーク側がＣＱＩとＰＤＣＣＨビットレートとのマッピング関係によって制御チャネルエレメントＣＣＥアグリゲーションレベルを決定する。
ステップＳ１０４において、ネットワーク側がＣＣＥアグリゲーションレベルによってＣＣＥリソースの分配を行う。
【００２５】
ここで、ＰＤＣＣＨのビットレート（bit  rate、符号化率）はＰＤＣＣＨに運ばれるＤＣＩ情報のビット数（ＤＣＩ情報自身のビット数及びＣＲＣ（Ｃｙｃｌｉｃ  Ｒｅｄｕｎｄａｎｃｙ  Ｃｈｅｃｋ，循環冗長チェック）チェックビット数を含む）をＰＤＣＣＨ自身の運ぶ可能なビット数で割る値である。
【００２６】
ＣＣＥの分配は、公共ＤＣＩに用いられるＣＣＥリソースの分配及びＵＥに対するＤＣＩのＣＣＥリソースの分配を含み、以下、それぞれに詳しく説明する。
【００２７】
公共ＤＣＩ
ネットワーク側が、ＣＱＩとＰＤＣＣＨのビットレートのマッピング関係によって制御チャネルエレメントＣＣＥアグリゲーションレベルを決定することは、ネットワーク側が上述マッピング関係及びセルにおいてすべてのアクティブにしたＵＥの現在の伝送時間間隔（Ｔｒａｎｓｍｉｓｓｉｏｎ  Ｔｉｍｅ  Ｉｎｔｅｒｖａｌ，ＴＴＩと略称）の最小広帯域ＣＱＩによって公共ＤＣＩのためにこの公共ＤＣＩに対応する第１のＰＤＣＣＨビットレートを選択し、ここで、第１のＰＤＣＣＨのビットレートがＣＱＩとＰＤＣＣＨのビットレートのマッピング関係によって、セルにおいてすべてのアクティブにしたＵＥの現在のＴＴＩの最小広帯域ＣＱＩが必要とする第１の最小ＰＤＣＣＨのビットレートであり、そして、ネットワーク側が対応の第１ＰＤＣＣＨビットレートによってこの公共ＤＣＩのために現在ＴＴＩ時刻にＣＣＥアグリゲーションレベル集合{４、８}から第１のＣＣＥアグリゲーションレベルＬｃｏｍｍｉｎを選択することを含む。第１のＣＣＥアグリゲーションレベルは、第１のＰＤＣＣＨビットレートに対応し、且つ現在のＴＴＩ時刻のＣＣＥアグリゲーションレベル集合{４、８}のうち、最小の値である。
【００２８】
ネットワーク側がＣＣＥアグリゲーションレベルによってＣＣＥリソースを分配することは、ネットワーク側が現在のＴＴＩ時刻の公共ＤＣＩスケジューリング行列から１つの公共ＤＣＩを取り出すことと、ネットワーク側が取り出した１つの公共ＤＣＩに対応する第１のＣＣＥアグリゲーションレベルを用いてＣＣＥリソースを分配することとを含む。
【００２９】
公共ＣＣＥ領域において公共ＣＣＥを分配するための原則は、ＣＣＥアグリゲーションレベル及び公共ＣＣＥ領域のＣＣＥ使用情報を利用して公共ＤＣＩに用いられるＣＣＥリソースを決定する。
ＵＥのＤＣＩは、専用ＤＣＩである。
【００３０】
ネットワーク側がＣＱＩとＰＤＣＣＨビットレートのマッピング関係によって制御チャネルエレメントＣＣＥアグリゲーションレベルを決定することは、ネットワーク側が上述マッピング関係によって対応するＵＥのために対応する第２のＰＤＣＣＨビットレートを選択し、ネットワーク側が対応の第２のＰＤＣＣＨビットレートによってこのＵＥののために現在ＴＴＩ時刻に分配待ちＣＣＥリソースのＤＣＩから必要な第２のＣＣＥアグリゲーションレベルＬｕｅｍｉｎを選択し、そして、このＤＣＩの使用可能なＣＣＥアグリゲーションレベルが、ＣＣＥアグリゲーションレベル集合{１,２,４,８}からすべての第２のＣＣＥアグリゲーションレベルＬｕｅｍｉｎ以上の値を取り出してこのＤＣＩに対応するＣＣＥアグリゲーションレベル集合{Ｌｕｅｍｉｎ,…,８}を構成することで確定される。ここで、第２のＣＣＥアグリゲーションレベルは第２のＰＤＣＣＨビットレートに対応し、且つ現在のＴＴＩ時刻に分配待ちＣＣＥリソースのＤＣＩが必要な最小ＣＣＥアグリゲーションレベルを選択する。
【００３１】
ネットワーク側がＣＣＥアグリゲーションレベルによってＣＣＥリソースを分配することは、ネットワーク側が現在のＴＴＩ時刻のＵＥスケジューリング行列から１つのＵＥのＤＣＩを取り出し、ネットワーク側がこのＵＥのＤＣＩに対応するＣＣＥアグリゲーションレベル集合から１つのＣＣＥアグリゲーションレベルを選択し、選択したＣＣＥアグリゲーションレベルを用いてこのＵＥのＤＣＩにＣＣＥリソースを分配することを含む。
【００３２】
ＰＤＣＣＨ候補領域においてＣＣＥリソースを分配するための原則は、ＣＣＥアグリゲーションレベル、ＰＤＣＣＨ候補領域が位置する位置、ＰＤＣＣＨ候補領域において分配可能なＣＣＥリソース数、ＣＣＥリソースの使用情況及び残ったＣＣＥリソース等の情報によって、このＵＥのＤＣＩに用いるＣＣＥリソースを決定する。
【００３３】
以下、実例を合わせて本発明の実施例の実現プロセスを詳しく説明する。
【００３４】
公共ＤＣＩでは、ネットワーク側がＣＱＩとＰＤＣＣＨビットレートのマッピング関係によって相応の公共ＤＣＩのために現在のＴＴＩ時刻で適当なＰＤＣＣＨビットレートを選択し、この公共ＤＣＩのために必要なＣＣＥアグリゲーションレベルＬｃｏｍｍｉｎを選択、そして、ＣＣＥアグリゲーションレベルと公共ＣＣＥ領域のＣＣＥ使用情報によって公共ＤＣＩに用いるＣＣＥリソースを決定する。
【００３５】
図２は本発明の実施例によるネットワーク側が公共ＤＣＩにＣＣＥリソースを分配する方法のフローチャートであり、図２に示すように、この方法は以下のステップＳ２０２〜ステップＳ２０６を含む。
【００３６】
ステップＳ２０２において、ネットワーク側がＣＱＩとＰＤＣＣＨビットレートのマッピング関係及びセルにおいてすべてのアクティブにしたＵＥの現在のＴＴＩの最小広帯域ＣＱＩによって公共ＤＣＩのために適当なＰＤＣＣＨビットレートを選択し、ここで、このＰＤＣＣＨビットレートは、ＣＱＩとＰＤＣＣＨビットレートのマッピング関係によって、セルにおいてすべてのアクティブにしたＵＥの現在のＴＴＩでの最小広帯域ＣＱＩが要する最小ＰＤＣＣＨビットレートである。
【００３７】
ステップＳ２０４において、ネットワーク側が公共ＤＣＩのために選択したＰＤＣＣＨビットレートによって、公共ＤＣＩのために現在のＴＴＩ時刻にＣＣＥアグリゲーションレベル集合{４,８}から必要な最小ＣＣＥアグリゲーションレベルＬｃｏｍｍｉｎを選択する。
【００３８】
ステップＳ２０６において、各公共ＤＣＩに対して、現在のＴＴＩ時刻の公共ＤＣＩスケジューリング行列から１つの公共ＤＣＩを順次に取り出し、そして、この公共ＤＣＩに対応するＣＣＥアグリゲーションレベルＬｃｏｍｍｉｎを順次に採用してＣＣＥ分配を行う。
【００３９】
ＵＥに対して、ネットワーク側がＣＱＩとＰＤＣＣＨビットレートのマッピング関係によって相応のＵＥの現在のＴＴＩ時刻に分配待ちＣＣＥリソースのＤＣＩ情報のために適当なＰＤＣＣＨビットレートを選択し、さらに、このＤＣＩのために必要なＣＣＥアグリゲーションレベル集合{Ｌｕｅｍｉｎ,…,８}を選択し、そして、利用ＣＣＥアグリゲーションレベル、ＰＤＣＣＨ候補領域が位置する位置、ＰＤＣＣＨ候補領域において分配可能なＣＣＥリソース数及びＰＤＣＣＨ候補領域付近ＣＣＥの使用情況等の情報によってこのＵＥのこのＤＣＩに用いるＣＣＥリソースを決定する。
【００４０】
図３は本発明の実施例に係るネットワーク側がＵＥのＤＣＩにＣＣＥリソースを分配する方法のフローチャートであり、図３に示すように、この方法は以下のステップＳ３０２〜ステップＳ３０６を含む。
【００４１】
ステップＳ３０２において、ネットワーク側がＣＱＩとＰＤＣＣＨビットレートのマッピング関係によって相応のＵＥのために適当なＰＤＣＣＨビットレートを選択する。
【００４２】
ステップＳ３０４において、ネットワーク側がこのＵＥのために選択したＰＤＣＣＨビットレートによって、このＵＥの現在のＴＴＩ時刻に分配待ちＣＣＥリソースのＤＣＩ情報のために必要な最小ＣＣＥアグリゲーションレベルＬｕｅｍｉｎを選択し、このＤＣＩの使用可能なＣＣＥアグリゲーションレベルが、ＣＣＥアグリゲーションレベル集合{１,２,４,８}からすべてのＬｕｅｍｉｎ以上の値を取り出し、それらが構成した集合を{Ｌｕｅｍｉｎ,…,８}とするように決定される。
【００４３】
ステップＳ３０６において、各ＵＥのＤＣＩに対して、現在のＴＴＩ時刻のＵＥスケジューリング行列から１つのＵＥのＤＣＩを順次に取り出し、そして、このＵＥのＤＣＩに対応するＣＣＥアグリゲーションレベル集合{Ｌｕｅｍｉｎ,…,８}から１つのＣＣＥアグリゲーションレベルを順次に取り出し、そしてこのＵＥのこのＤＣＩにＣＣＥリソースを分配した或いは集合{Ｌｕｅｍｉｎ,…,８}におけるＣＣＥアグリゲーションレベルが使用済むまでに、ＣＣＥ分配を行う。
ネットワーク側が発展型基地局（Ｅｖｏｌｖｅｄ  ＮｏｄｅＢ，ｅＮＢと略称）でよい。
【００４４】
ＣＱＩとＰＤＣＣＨビットレートのマッピング関係は、ＰＤＣＣＨチャネルのブロック誤り率がブロック誤り率閾値Ａ以下である場合、相応のＣＱＩに許されたＰＤＣＣＨビットレート範囲である。ここで、ＰＤＣＣＨビットレートがＰＤＣＣＨに運ばれるＤＣＩ情報のビット数（ＤＣＩ情報自身のビット数及びＣＲＣチェックビット数を含む）をＰＤＣＣＨ自身の運ぶ可能なビット数で割る値である。一般的に、ＰＤＣＣＨのブロック誤り率閾値Ａが１％とする。図４は、本発明の実施例に係るＣＱＩとＰＤＣＣＨビットレートとの間のマッピング関係の模式図であり、図４に示すように、縦座標がＰＤＣＣＨのビットレートを示し、各ＣＱＩ値が一段のビットレートの値に対応し、例えば、ＣＱＩが１であると、対応するビットレート（Ｃｏｄｅ  Ｒａｔｅ，ＣＲと略称）が[ＣＲ１ｍｉｎ、ＣＲ１ｍａｘ）（即ち、ＣＱＩが１であると、対応するビットレートがＣＲ１ｍｉｎ以上、ＣＲ１ｍａｘより小さい）であり、ＣＱＩがｉであると、対応するビットレートが[ＣＲｉｍｉｎ、ＣＲｉｍａｘ）であり、ＣＱＩが１５であると、対応するビットレートが[ＣＲ１５ｍｉｎ,ＣＲ１５ｍａｘ）である。
【００４５】
ある帯域幅配置の場合に（周波数分割複信方式（Ｆｒｅｑｕｅｎｃｙ  Ｄｉｖｉｓｉｏｎ  Ｄｕｐｌｅｘ，ＦＤＤと略称）の場合、セルダウンリンク帯域幅であり、時分割複信（Ｔｉｍｅ  Ｄｉｖｉｓｉｏｎ  Ｄｕｐｌｅｘ，ＴＤＤと略称）の場合、セル帯域幅である）、あるＤＣＩは、異なるＣＣＥアグリゲーションレベルで異なるＰＤＣＣＨビットレートに対応し、且つＣＣＥアグリゲーションレベルが大きいほど、そのビットレートが小さくなる。
【００４６】
各公共ＤＣＩは、現在のＴＴＩ時刻に、セル下のすべてのアクティブにしたＵＥのＣＱＩ値のうち最小ＣＱＩ値ＣＱＩｍｉｎ及びＣＱＩとＰＤＣＣＨビットレートとのマッピング関係からこの公共ＤＣＩがこのＴＴＩ時刻に必要なＰＤＣＣＨビットレートの最大値ＣＲｃｏｍｉｍａｘを得る。ここで、ＣＱＩｍｉｎが１以上、１５以下の値である。
【００４７】
ＣＲｃｏｍｉｍａｘ及び公共ＤＣＩが異なるＣＣＥアグリゲーションレベルでのＰＤＣＣＨビットレートによって、この公共ＤＣＩが必要とする最小のＣＣＥアグリゲーションレベルＬｃｏｍｍｉｎを決定する。ここで、公共ＤＣＩが異なるＣＣＥアグリゲーションレベルでのＣＣＥアグリゲーションレベルとは、ＣＣＥアグリゲーションレベル４或いはＣＣＥアグリゲーションレベル８である。
【００４８】
ＣＣＥアグリゲーションレベルを用いて、ＣＣＥアグリゲーションレベル及び公共ＣＣＥ領域のＣＣＥ使用情報を使用して公共ＤＣＩに用いるＣＣＥリソースを決定するようにＣＣＥ分配を行う。
【００４９】
公共ＤＣＩにＣＣＥリソース分配を行うことは、以下の３種類の情況がある。
【００５０】
１）用いられるＣＣＥアグリゲーションレベルＬｃｏｍｍｉｎは、公共ＣＣＥ領域には分配可能なＣＣＥリソースがなく、この場合に、この公共ＤＣＩへのＣＣＥリソースの分配を終える。
【００５１】
２）用いられるＣＣＥアグリゲーションレベルＬｃｏｍｍｉｎは、公共ＣＣＥ領域には分配可能なＣＣＥリソースが１ブロックだけあり、この場合に、このブロックのＣＣＥリソースをこの公共ＤＣＩに分配する。
【００５２】
３）用いられるＣＣＥアグリゲーションレベルＬｃｏｍｍｉｎは、公共ＣＣＥ領域には複数のブロックの分配可能なＣＣＥリソースがあり、この場合に、処理ステップが以下のとおりである。
【００５３】
ステップ１において、採用されたＣＣＥアグリゲーションレベルＬｃｏｍｍｉｎが４であるか、８であるかを判断し、８であると、境界のＣＣＥリソースＣＣＥ０〜ＣＣＥ７をこの公共ＤＣＩに分配し、フローを終える。４であると、ステップ２を実行する。
【００５４】
ステップ２において、公共ＣＣＥ領域には分配可能なＣＣＥリソースが複数のブロックあり、その中に、頭境界のＣＣＥリソース（即ち、分配可能なＣＣＥリソースにＣＣＥ0が含まれる）があると、このブロックのＣＣＥリソースをこの公共ＤＣＩに分配し、そうしないと、均一法則でＣＣＥの分配を行い、用いられたＣＣＥをＣＣＥリソース全体にできるだけ均一に分布させる。
【００５５】
例えば、図５は本発明の実施例に係る公共ＤＣＩにＣＣＥリソースを分配する模式図であり、図５に示すように、図５（ａ）では、ある公共ＤＣＩに用いられるＣＣＥアグリゲーションレベルＬｃｏｍｍｉｎが４であり、現在の使用可能な公共ＣＣＥ領域にＣＣＥ４〜ＣＣＥ７、ＣＣＥ８〜ＣＣＥ１１及びＣＣＥ１２〜ＣＣＥ１５という分配できるＣＣＥリソースが３ブロックあり、均一法則で、ＣＣＥ１２〜ＣＣＥ１５をこの公共ＤＣＩに分配する。
【００５６】
また、例えば、図５（ｂ）では、ある公共ＤＣＩに用いられるＣＣＥアグリゲーションレベルＬｃｏｍｍｉｎが４であり、現在の使用可能な公共ＣＣＥ領域にＣＣＥ４〜ＣＣＥ７とＣＣＥ８〜ＣＣＥ１１という分配できるＣＣＥリソースが２ブロックあり、均一法則で、ＣＣＥ８〜ＣＣＥ１１をこの公共ＤＣＩに分配する。
【００５７】
特に注意すべきのは、図５には、分配領域が公共ＣＣＥ領域における分配可能なＣＣＥリソースを示す。
処理が終わった。
【００５８】
スケジューリング行列における各ＵＥのＤＣＩは、現在ＴＴＩ時刻に、スケジューリング行列における各ＵＥのＣＱＩ値ｉ及びＣＱＩとＰＤＣＣＨビットレートとのマッピング関係によってこのＵＥがこのＴＴＩ時刻に必要なＰＤＣＣＨビットレートの最大値ＣＲｉｍａｘを得る。ここで、ｉが１以上、１５以下の値である。
【００５９】
ＣＲｉｍａｘ及びこのＵＥのＤＣＩが異なるＣＣＥアグリゲーションレベルでのＰＤＣＣＨビットレートによって、このＵＥのＤＣＩが必要とする最小のＣＣＥアグリゲーションレベルＬｕｅｍｉｎを決定し、このＤＣＩの用可能なＣＣＥアグリゲーションレベルが、ＣＣＥアグリゲーションレベル集合{１,２,４,８}からすべてのＬｕｅｍｉｎ以上の値を取り出し、それらで構成された集合を{Ｌｕｅｍｉｎ,…,８}とすることによって決定される。ここで、このＤＣＩがＣＣＥアグリゲーションレベルＬｕｅｍｉｎの場合のＰＤＣＣＨのビットレートは、ＣＲｉｍａｘ以下である。
【００６０】
集合{Ｌｕｅｍｉｎ,…,８}から１つのＣＣＥアグリゲーションレベルを順次に取り出し、そしてこのＵＥのＤＣＩにＣＣＥリソースを分配した或いは集合{Ｌｕｅｍｉｎ,…,８}におけるＣＣＥアグリゲーションレベルを使用済むまでに、ＣＣＥ分配を行う。ＰＤＣＣＨ候補領域へのＣＣＥリソースを分配するための原則は、ＣＣＥアグリゲーションレベル、ＰＤＣＣＨ候補領域が位置する位置、ＰＤＣＣＨ候補領域において分配可能なＣＣＥリソース数及びＰＤＣＣＨ候補領域付近ＣＣＥの使用情況等の情報によってこのＵＥのこのＤＣＩに用いられるＣＣＥリソースを決定する。
【００６１】
ＵＥのＤＣＩにＣＣＥリソースを分配することは、以下の３種類の情況がある。
【００６２】
１）用いられるＣＣＥアグリゲーションレベルＬから算出したＰＤＣＣＨ候補領域には分配可能なＣＣＥリソースがない。この場合に、集合{Ｌｕｅｍｉｎ,…,８}に採用しないＣＣＥアグリゲーションレベルがあるかどうかを判断し、あると、これらのＣＣＥアグリゲーションレベルを順次に用いてＣＣＥリソース分配を行う。ないと、このＤＣＩに対するＣＣＥリソースの分配を終える。
【００６３】
２）用いられるＣＣＥアグリゲーションレベルＬから算出したＰＤＣＣＨ候補領域には分配可能なＣＣＥリソースが１ブロックだけある。この場合に、このブロックのＣＣＥリソースをこのＵＥのＤＣＩに分配する。
【００６４】
３）用いられるＣＣＥアグリゲーションレベルＬから算出したＰＤＣＣＨ候補領域には分配可能なＣＣＥリソースが複数のブロックある。この場合に、処理ステップは、以下のとおりである。
【００６５】
ステップ１において、ＰＤＣＣＨ候補数が閾値Ｂより大きいかどうかを判断し、閾値Ｂ以下であると、ステップ２に入る。閾値Ｂより大きいと、ステップ３に入る。一般的に、閾値Ｂが２とする。
【００６６】
ステップ２において、均一法則でＣＣＥの分配を行い、用いられたＣＣＥをＣＣＥリソースの全体にできるだけ均一に分布させる。
【００６７】
例えば、ＣＣＥアグリゲーションレベルが８、対応するＰＤＣＣＨ候補数が２、いずれも占用されない場合、ＰＤＣＣＨ候補領域に接続する両端のＣＣＥアグリゲーションレベルＬ同一なＣＣＥが占用されるかを判断（全部或いは一部的に占用されたとの２種類の情況）、一端が用いられ他端が用いられないと、用いられない端に近いブロックのＣＣＥをこのＵＥのＤＣＩに分配し、図６は本発明の実施例に係るＵＥのＤＣＩにＣＣＥアグリゲーションレベルが８のＣＣＥリソースを分配する模式図であり、図６（ａ）に示すように、あるＵＥはＣＣＥアグリゲーションレベルＬが８でそのＤＣＩにＣＣＥ分配を行い、ＰＤＣＣＨ候補領域ＣＣＥ８〜ＣＣＥ２３には、分配可能なＣＣＥリソースが２ブロックあり、即ち、ＣＣＥ８〜ＣＣＥ１５とＣＣＥ１６〜ＣＣＥ２３であり、それと同時に、ＣＣＥリソースのうちＣＣＥ１６〜ＣＣＥ２３に近いＣＣＥ２８〜ＣＣＥ３１が占用され、このため、このＵＥのＤＣＩにＣＣＥ８〜ＣＣＥ１５部分のＣＣＥリソースを分配する。
【００６８】
また、例えば、両端とも用いられないと、更に、ＰＤＣＣＨ候補領域に次に接続する両端のＣＣＥアグリゲーションレベルＬ同一なＣＣＥが占用されるかを判断し、一端が用いられ他端が用いられないと、用いられない端に近いブロックのＣＣＥをこのＵＥのＤＣＩに分配する。決定できたまでに以上方法で順次に判断する。
【００６９】
また、例えば、両端とも用いられると、更に、ＰＤＣＣＨ候補領域に次に接続する両端のＣＣＥアグリゲーションレベルＬ同一なＣＣＥが占用されるかを判断し、一端が用いられ他端が用いられないと、用いられない端に近いブロックのＣＣＥをこのＵＥのＤＣＩに分配する。決定できたまでに以上方法で順次に判断する。
【００７０】
注意すべきのは、境界ＣＣＥリソースの場合、境界のアイドルＣＣＥリソースを優先に分配する。図６（ｂ）に示すように、あるＵＥはＣＣＥアグリゲーションレベルＬが８でそのＤＣＩへのＣＣＥの分配を行い、ＰＤＣＣＨ候補領域ＣＣＥ８〜ＣＣＥ２３には、分配可能なＣＣＥリソースが２ブロックあり、即ちＣＣＥ０〜ＣＣＥ７とＣＣＥ８〜ＣＣＥ１５であり、その中、ＣＣＥ０〜ＣＣＥ７が境界ＣＣＥリソースであり、このため、このＵＥのＤＣＩにＣＣＥ０〜ＣＣＥ７だけのＣＣＥリソースを分配する。
注意すべきのは、図６において分配領域が用いられたＣＣＥアグリゲーションレベルＬから算出したＰＤＣＣＨ候補領域における分配可能なＣＣＥリソースを示す。
【００７１】
ステップ３において、集合的な均一方法でＣＣＥの分配を行い、即ち、同時に２つの方面に配慮を加える。第１の方面が、用いられたＣＣＥをＣＣＥリソース全体にできるだけ均一に分布させる均一性であり、第２方面が、用いられたＣＣＥをある或いは複数のＣＣＥアグリゲーションレベルが占用しようとするＣＣＥリソースをできるだけ全部に占用させる集合性である。
【００７２】
一般的に、ＰＤＣＣＨ候補領域に接続占用（一部占用及び全部占用を含む）されたＣＣＥリソースと一緒に構成したものより一級大きいＣＣＥアグリゲーションレベルの本層ＣＣＥアグリゲーションレベルの大きさの１ブロックのアイドルＣＣＥリソースがある場合、第２方面を優先して考え、即ち、このアイドルＣＣＥリソースの分配である集合性を優先して考える。図７は本発明の実施例に係るＵＥのＤＣＩにＣＣＥアグリゲーションレベルが２或いは１のＣＣＥリソースを分配する模式図であり、図７（ａ）に示すよう。
【００７３】
更に、ＰＤＣＣＨ候補領域に接続占用（一部占用及び全部占用を含む）のＣＣＥリソースと一緒に構成したものより一級大きいＣＣＥアグリゲーションレベルの本層ＣＣＥアグリゲーションレベルの大きさの複数のブロックのアイドルＣＣＥリソースがある場合、更にこれらのアイドルＣＣＥリソースブロックについて均一法則で判断する。図７（ｂ）に示すよう。
【００７４】
更に、ＰＤＣＣＨ候補領域に接続占用（一部占用及び全部占用を含む）のＣＣＥリソースと一緒に構成したものより一級大きいＣＣＥアグリゲーションレベルの本層ＣＣＥアグリゲーションレベルの大きさの１ブロックのアイドルＣＣＥリソースがない場合、均一法則でＰＤＣＣＨ候補領域におけるアイドルＣＣＥリソースを判断する。図７（ｃ）に示すよう。
【００７５】
更に、均一法則でＰＤＣＣＨ候補領域におけるアイドルＣＣＥリソースには複数のブロックのアイドルＣＣＥリソースがあると判定した場合、これらのアイドルＣＣＥリソースから１ブロックを任意に分配する。図７(ｄ)に示すように、均一法則で、ＣＣＥリソースＣＣＥ１０〜ＣＣＥ１１及びＣＣＥ１２〜ＣＣＥ１３のいずれかでよく、ＣＣＥ１０〜ＣＣＥ１１及びＣＣＥ１２〜ＣＣＥ１３を任意に分配する。図７(ｄ)には、ＣＣＥ１０〜ＣＣＥ１１を分配する。
【００７６】
特に注意すべきのは、図７において分配領域が用いられるＣＣＥアグリゲーションレベルＬから算出したＰＤＣＣＨ候補領域における分配可能なＣＣＥリソースを示す。
処理が終わった。
【００７７】
装置実施例
本発明の実施例によれて、ＣＣＥの分配装置を提供した。
【００７８】
図８は本発明の実施例に係るＣＣＥの分配装置の構造ブロック図であり、図８に示すように、この装置は、ネットワーク側に位置し、決定モジュール８２及び分配モジュール８４を含み、以下、この構造を詳しく説明する。
【００７９】
決定モジュール８２は、チャネル品質指示ＣＱＩと物理ダウンリンク制御チャネルＰＤＣＣＨビットレートとのマッピング関係によって制御チャネルエレメントＣＣＥアグリゲーションレベルを決定する。分配モジュール８４は、決定モジュール８２に接続され、ＣＣＥアグリゲーションレベルによってＣＣＥリソースを分配する。
【００８０】
図９は本発明の実施例に係るＣＣＥの分配装置の具体的な構造ブロック図であり、図９に示すように、決定モジュール８２は、第１の選択サブモジュール９２及び第２の選択サブモジュール９４を含み、以下、この構造を詳しく説明する。
【００８１】
第１の選択サブモジュール９２は、マッピング関係及びセルにおけるすべてのアクティブにしたＵＥの現在のＴＴＩ時刻に最小広帯域ＣＱＩによって公共ダウンリンクチャネル情報ＤＣＩのために対応する第１のＰＤＣＣＨビットレートを選択する。ここで、第１のＰＤＣＣＨビットレートがＣＱＩとＰＤＣＣＨビットレートのマッピング関係によって、セルにおけるすべてのアクティブにしたＵＥの現在のＴＴＩの最小広帯域ＣＱＩが要する第１の最小ＰＤＣＣＨビットレートである。第２の選択サブモジュール９４は、第１の選択サブモジュール９２に接続され、対応する第１のＰＤＣＣＨビットレートによって公共ＤＣＩのために現在の伝送時間間隔ＴＴＩ時刻にＣＣＥアグリゲーションレベル集合{４、８}から対応する第１のＣＣＥアグリゲーションレベルを選択する。ここで、第１のＣＣＥアグリゲーションレベルは、第１のＰＤＣＣＨビットレートに対応し、現在のＴＴＩ時刻にＣＣＥアグリゲーションレベル集合{４、８}のうちの最小の値である。
【００８２】
分配モジュール８４は、第１の取り出しサブモジュール９６及び第１の分配サブモジュール９８を含み、以下、この構造を詳しく説明する。
【００８３】
第１の取り出サブモジュール９６は、現在のＴＴＩ時刻の公共ＤＣＩスケジューリング行列から公共ＤＣＩを１つ取り出す。第１の分配サブモジュール９８は第１の取り出しサブモジュール９６に接続され、取り出された１つの公共ＤＣＩに対応する第１のＣＣＥアグリゲーションレベルを採用してＣＣＥリソースを分配する。
【００８４】
図１０は、本発明の実施例に係るＣＣＥの分配装置の他の例の具体的な構造ブロック図であり、図１０に示すように、決定モジュール８２は、第３の選択サブモジュール１００２、第４の選択サブモジュール１００４及び第５の選択サブモジュール１００６を含み、以下、この構造を詳しく説明する。
【００８５】
第３の選択サブモジュール１００２は、マッピング関係（即ちチャネル品質指示ＣＱＩと物理ダウンリンク制御チャネルＰＤＣＣＨビットレートとのマッピング関係）によって対応するユーザー設備ＵＥのために対応する第２のＰＤＣＣＨビットレートを選択する。第４の選択サブモジュール１００４は、第３の選択サブモジュール１００２に接続され、対応する第２のＰＤＣＣＨビットレートによってＵＥの現在のＴＴＩ時刻に分配待ちＣＣＥリソースのＤＣＩのために必要な第２のＣＣＥアグリゲーションレベルを選択する。第５の選択サブモジュール１００６は、第４の選択サブモジュール１００４に接続され、ＣＣＥアグリゲーションレベル集合{１、２、４、８}から第２のＣＣＥアグリゲーションレベル以上の値を選択して、ＵＥに対応するＣＣＥアグリゲーションレベル集合とする。ここで、第２のＣＣＥアグリゲーションレベルは、第２のＰＤＣＣＨビットレートに対応し、現在のＴＴＩ時刻に分配待ちＣＣＥリソースのＤＣＩから必要な最小ＣＣＥアグリゲーションレベルを選択することで得る。
【００８６】
分配モジュール８４は、第２の取り出しサブモジュール１００８及び第２の分配サブモジュール１０１０を含み、以下、この構造を詳しく説明する。
【００８７】
第２の取り出サブモジュール１００８は、現在のＴＴＩ時刻のＵＥスケジューリング行列からＵＥ的ＤＣＩを１つ取り出す。第２の分配サブモジュール１０１０は、第２の取り出しサブモジュール１００８に接続され、取り出された１つのＵＥのＤＣＩに対応するＣＣＥアグリゲーションレベル集合から１つのＣＣＥアグリゲーションレベルを選択し、取り出された１つのＵＥのＤＣＩにＣＣＥリソースを分配する。
【００８８】
本発明は、更にＣＣＥの分配装置を提供し、図１１は、本発明の実施例によるＣＣＥの分配装置の構造模式図であり、ネットワーク側に位置し、本実施例におけるこの分配装置は、具体的には、ｅＮＢ（基地局）でよく、この装置は、ＣＣＥアグリゲーションレベル選択要素１１０２及びＣＣＥ分配要素１１０４を含む。
【００８９】
ここで、ＣＣＥアグリゲーションレベル選択エレメント１１０２は、決定モジュール８２に対応し、ＣＱＩとＰＤＣＣＨビットレートのマッピング関係によって、公共ＤＣＩのために現在ＴＴＩ時刻にＣＣＥアグリゲーションレベル集合{４,８}から必要な最小のＣＣＥアグリゲーションレベルＬｃｏｍｍｉｎを選択し、このＵＥの現在のＴＴＩ時刻に分配待ちＣＣＥリソースのＤＣＩ情報のために必要な最小のＣＣＥアグリゲーションレベルＬｕｅｍｉｎを選択し、このＤＣＩの使用可能なＣＣＥアグリゲーションレベルが、ＣＣＥアグリゲーションレベル集合{１,２,４,８}からすべてのＬｕｅｍｉｎ以上の値を取り出し、それらで構成した集合を{Ｌｕｅｍｉｎ,…,８}とすることを決定する。ＣＣＥ分配エレメント１１０４は、分配モジュール８４に対応し、各公共ＤＣＩに対して、現在のＴＴＩ時刻の公共ＤＣＩスケジューリング行列から１つの公共ＤＣＩを順次に取り出し、そして、この公共ＤＣＩに対応するＣＣＥアグリゲーションレベルＬｃｏｍｍｉｎを順次に用いてＣＣＥの分配を行い、各ＵＥのＤＣＩに対して、現在のＴＴＩ時刻のＵＥスケジューリング行列から１つのＵＥのＤＣＩを順次に取り出し、そして、このＵＥのＤＣＩに対応するＣＣＥアグリゲーションレベル集合{Ｌｕｅｍｉｎ,…,８}から１つのＣＣＥアグリゲーションレベルを順次に取り出し、そしてこのＵＥのこのＤＣＩにＣＣＥリソースを分配した或いは集合{Ｌｕｅｍｉｎ,…,８}におけるＣＣＥアグリゲーションレベルが使用済むまでに、ＣＣＥの分配を行う。
【００９０】
特に説明したいのは、装置の実施例に記載のＣＣＥの分配装置が上述した方法実施例に対応し、その具体的な実現方法が方法実施例で既に説明し、詳細な記載を省略する。
以上したように、本発明によれば、ＣＣＥリソースの利用率を向上させた。
【００９１】
特に説明したいのは、図面のフローチャートに示すステップは、１セットの計算装置によってコマンドを実行できる計算装置システムで実行でき、且つ、フローチャートで論理的な順序を示したが、これに異なる順序で示した或いは記載したステップを実行する場合もある。
【００９２】
当業者にとって、上述の本発明の各モジュール或いは各ステップは共通の計算装置によって実現することができ、単独の計算装置に集中させてもよいし、複数の計算装置から構成されるネットワークに分布させてもよく、或は計算装置が実行可能なプログラムのコードによって実現することもできるので、それらを記憶装置に記憶させて計算装置によって実行することができ、また、ある場合には、示された或は述べられたステップがここでのと違う順で実行されてもよく、又はそれらの夫々をそれぞれ集積回路ブロックに製作し、又はそれらにおける複数のモジュール又はステップを単独の集積回路モジュールに製作して実現することができることは明らかなことである。このように、本発明は如何なる指定のハードウェアとソフトウェアの結合にも限定されない。
【００９３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013511172.tif 000008
【図２】
2013511172.tif 000009
【図３】
2013511172.tif 000010
【図４】
2013511172.tif 000011
【図５】
2013511172.tif 000012
【図６】
2013511172.tif 000013
【図７】
2013511172.tif 000014
【図８】
2013511172.tif 000015
【図９】
2013511172.tif 000016
【図１０】
2013511172.tif 000017
【図１１】
2013511172.tif 000018
【国際調査報告】
2013511172.tif 000019
2013511172.tif 000020
2013511172.tif 000021
2013511172.tif 000022